(57)【要約】【課題】折りたたみ式の包装箱において、取扱説明書や保証書等の印刷物を載せたり、包装箱内部を複数に分けるための仕切り板を、包装箱と一体に形成した際に、左右の側板の前側が、包装箱内側に倒れ込みにくくすることを課題とする。【解決手段】平面形状が方形の底板と、この底板に隣接して形成される左右および前後の側壁板と、後の側壁板のいずれかに連設される上蓋と、左右の側板から前記前側の側壁板側に連設される保持片を持つ包装箱に置いて、保持片に仕切り板と当接させるための当接部を設け、前側の側壁板の中ほどに連設され、包装箱内部を複数に分けるための仕切り板と当接するように構成する。【選択図】  図１
2018100117.tif 000002
【特許請求の範囲】
【請求項１】
平面形状が方形の底板と、この底板に隣接して形成される左右および前後の側壁板と、後の側壁板に連設される上蓋と、前側の側壁板の中ほどに連設され、包装箱内部を複数に分けるための仕切り板と、前記左右の側板から前記前側の側壁板側に連設される保持片を持つ包装箱において、
前記左右の側板から前記前側の側壁板側に連設される保持片には、前記仕切り板と当接させるための当接部をもち、包装箱を組み立てた際には、前記前側の側壁板の中ほどから折り曲げられた仕切り板と、前記左右の保持片に設けられた当接部が当接するように構成されることを特徴とする包装箱。
【請求項２】
前記左右の側板から前記前側の側壁板側に連設される保持片は、相互に連結するための係合部を備えることを特徴とする、請求項１に記載の包装箱。
【請求項３】
包装箱は、前記上蓋の前記連設された側壁板と反対側に、前記前側の側壁板を覆うための前蓋が連設されていることを特徴とする、請求項１に記載の包装箱。
【請求項４】
前記、左右の側壁板の、前記上蓋が連設された後側の側壁板側の端縁に連結片が連設し、さらには連結片に斜めの折り目を介して貼付片を連設するとともに、前記貼貼付片と前記後側の後側の側壁板が貼付されていることを特徴とする、請求項１に記載の包装箱。
【発明の詳細な説明】
【技術分野】
【０００１】
本発明は、デジタルカメラやデジタルビデオカメラ等の被包装物を収納するための包装箱に関するものである。
【背景技術】
【０００２】
従来より、デジタルカメラ等の電子機器においては、上面に蓋を持つ直方体形状の包装箱に、収納トレイに入れた電子機器本体とバッテリーやそのチャージャーなどの同梱品を入れ、その上に仕切り板を置いて取扱説明書や保証書等の印刷物を載せ、収納する包装が良く見られる。
【先行技術文献】
【特許文献】
【０００３】
【特許文献１】特開２０１０−２４７８８０号公報
【特許文献２】特開２０００−９５２３６号公報
【発明の概要】
【発明が解決しようとする課題】
【０００４】
しかしながら、特許文献1に示すような包装箱では、取扱説明書や保証書等の印刷物を載せたり、包装箱の内部を複数のスペースに区切るための仕切り板を、包装箱とは別に用意する必要がある。また、特許文献２に示すように、仕切り板を包装箱と一体とするために、仕切り板を前側の側壁板に連設する方法が開示されているが、仕切り板の位置あるいは形状によっては、左右の側壁板の前側が、包装箱の内側に倒れ込みやすくなる場合がある。
【０００５】
そこで、本発明の目的は、仕切り板を前側の側壁板に連設して構成しても、左右の側板の前側が、包装箱内側に倒れ込みにくい包装箱を提供することである。
【課題を解決するための手段】
【０００６】
上記目的を達成するために、本発明は、平面形状が方形の底板と、この底板に隣接して形成される左右および前後の側壁板と、後の側壁板に上蓋を連設するとともに、左右の側壁板の前端縁には保持片を連設した包装箱において、前側の側壁板の中ほどに包装箱内部を複数のスペースに分けるための仕切り板を連設するとともに、包装箱を組み立てた状態で、仕切り板と保持片が当接するようにすることで、左右の側板の包装箱内への倒れ込みを防止したことを特徴とする。
【発明の効果】
【０００７】
本発明の包装箱によれば、取扱説明書や保証書等の印刷物を載せたり、包装箱を複数のスペースに区切るための仕切り板を、包装箱の展開寸法を大きくすることなく、包装箱と一体に形成しながらも、左右の側板の包装箱内への倒れ込みを防止することが可能となる。
【図面の簡単な説明】
【０００８】
【図１】本発明による包装箱の表面より見た展開図
【図２】本発明による包装箱の糊貼り工程後の形態を示す斜視図
【図３】本発明による包装箱の組み立て途中の形態を示す斜視図
【図４】本発明による包装箱の組み立て途中の形態を示す斜視図
【図５】本発明による包装箱の組み立て途中の形態を示す斜視図
【図６】本発明による包装箱の完成状態を示す斜視図
【発明を実施するための形態】
【０００９】
以下に、本発明の好ましい実施の形態を、添付の図面に基づいて詳細に説明する。
【００１０】
［実施例１］
以下、本発明の第１の実施例による、包装箱について説明する。図１は段ボールなどの厚紙を材料に用いて作られ、デジタルカメラなどの小型の被包装物を収納する紙製包装箱の展開形状を示した図である。図において、１は平面形状が長方形状の底板であり、この底板１の短辺側の左右に側壁板２、３が連設されている。また、前記底板１の長辺側には、前側に側壁板４が、後ろ側には側壁板５が連設されている。
【００１１】
前記前側の側壁板４の中ほどには、包装箱の内側に折り曲げ可能な仕切り板１４が連設されおり、前記仕切り板１４の左右には仕切り板１４の浮き上がりを防止するとともに、前記左右の側壁板２、３の間隔を保持するための羽根部１４ａ、１４ｂが連設されている。また、前記底板１と前記前側の側壁板４に跨って係止舌片１５が形成されている。また、前記係止舌片１５の左右には、前記底板１と前記前側の側壁板４の連設線上に、係止孔１１ａ、および、１１ｂが開けられており、前記係止舌片１５を折り曲げた後の穴とともに係止部１１を構成する。
【００１２】
前記左右の側壁板２、３の上端にはフラップ２１、３１が、前記左右の側壁板２、３の前端縁には保持片２２および３２が前側の側壁板４の内側に沿うように折り曲げ可能に連設されている。保持片２２および３２は相互に連結される係合部２２ａ、３２ａを備えており、包装箱の組立時に前記左右の側壁板２、３が外側に開かないように連結される。２２ｂ、３２ｂは前記保持片２２および３２に設けられた当接部であり、包装箱を組み立てた状態で、前記、仕切り板１４の端面に当接する位置に設けられている。
【００１３】
一方、前記後側の側壁板５の上端には上蓋６が連設されるとともに、前記上蓋６の先には、前蓋７が連設されている。この前蓋７の先端には、前記底板１と前記前側の側壁板４の連設線上に開けられた係止孔１１に差し込まれる差込片１７が連設されている。そして、前記前蓋７と前記差込片１７の連設線上には係止部１７ａが設けられており、差込片１７を折り曲げると係止孔が形成される。
【００１４】
前記左右の側壁板２、３の後端縁には連結片２３および３３が後側の側壁板５の内側に沿うように折り曲げ可能に連設され、さらには約45度の傾きの折り目線ｇ，ｈを介して貼付片２４、３４、が連設されている。
【００１５】
次に図２〜図６を用いて本包装箱の組み立てについて説明する。厚紙の表面を印刷したのちにトムソン等を用いて打ち抜いた包装箱は、まず、前記貼付片２４、３４の裏面に接着剤が塗布される。その後、前記左右の側壁板２、３が前記底板１との連設線で折りたたまれ、前記貼付片２４、３４と前記後側の側壁板５の裏面同士が貼りつけられる。この状態を図２に示す。
【００１６】
この状態で、接着剤が十分乾燥した後、前記左右の側壁板２、３を両側に開いて立てる。この時、左右の側壁板２、３の後端縁には連結片２３および３３、および、貼付片２４、３４が連設されており、また、前記貼付片２４、３４と前記後側の側壁板５が貼付されているので、前記左右の側壁板２、３が左右に開くのに合わせて連結片２３と貼付片２４、連結片３３と貼付片３４がそれぞれ前記折り目線ｇで折りたたまれるとともに、前記後側の側壁板５が起き上がり、図３に示すような状態になる。
【００１７】
図３の状態から、前記左右の側壁板２、３の前端縁に連設された保持片２２および３２を内側に折り曲げるとともに、それぞれに設けられた係合部２２ａ、３２ａを組み合わせると、図４に示すような状態となる。この状態で、図に示すように、容器６１に入れられたデジタルカメラ６２やバッテリー６３、チャージャー６４などの付属品を包装箱内に配置する。その後、前記前側の側壁板４を、前記内側に折り曲げた保持片２２および３２に沿うように折り曲げるとともに、前記仕切り板１４を包装箱内側に折り込むことで、図５に示すような状態になる。
【００１８】
この時、側壁板４と仕切り板１４の連設線は、前記容器６１の上面と略同一の高さに設定されているため、仕切り板１４が容器６１の蓋となり、デジタルカメラ６２やバッテリー６３が容器６１から飛び出さないように構成されている。
【００１９】
また、図４のように、前記仕切り板１４を包装箱内側に折り込んでいない時には、保持片２２および３２は係合部２２ａ、３２ａに設けられた遊びの分だけ、間隔を狭めることができ、前記左右の側壁板２、３が包装箱内側に倒れ込むが、保持片２２および３２に設けられた当接部２２ｂ、３２ｂの間隔Ｌと、前記仕切り板１４の前記前側の側壁板４との当接部の幅ｌを同一とすることで、包装箱内側に折り込んだ前記仕切り板１４と、保持片２２および３２が当接し、左右の側壁板２、３が包装箱内側に倒れ込むことを防ぐことができる。
【００２０】
図５の状態から、前記仕切り板１４の上に取扱説明書や保証書などの印刷物を置き、フラップ２１、３１を包装箱の内側に折り曲げた後、前記上蓋６、および、前蓋７を折り曲げるとともに、前記前蓋７の先端に連設された差込片１７を、前記係止部１１に差し込んで、蓋をする。この時、仕切り板１４の左右に連設された羽根部１４ａ、１４ｂの先端を前記フラップ２１、３１に接する長さとすることで、前記仕切り板１４に載置された取扱説明書の厚さに関係なく、前記仕切り板１４が浮き上がることを防ぐことができる。
【００２１】
最後に、図６に示すように前記差込片１７の折り曲げ部に形成された係止孔１７ａに、係止舌片１５を差し込むことで、上蓋６、および、前蓋７が開かなくなり、包装箱の組み立てと、梱包が終了する。
【００２２】
なお、本実施例においては、上蓋は後側の側壁板に連設されているが、前後を逆にし、前側の側壁板より連設される構成としても良い。また、左右の側板と、後側の側壁板が連結片および貼り付け片を介して貼付されているが、前側同様、保持片を用いて左右の側板を連結しても良い。
【符号の説明】
【００２３】
１：底板    
２：右側壁板
３：左側壁板
４：前側側壁板
５：後側側壁板
６：上蓋
７：前蓋
１１：係止部
１４：仕切り板    
１４ａ、１４ｂ：羽根部
１５：係止舌片
１７：差込片    １７ａ：係止部
２１、３１：フラップ  
２２、３２：保持片
２３、３３：連結片
２４、３４：貼付片
ｇ、ｈ：折り目線
【図１】
2018100117.tif 000003
【図２】
2018100117.tif 000004
【図３】
2018100117.tif 000005
【図４】
2018100117.tif 000006
【図５】
2018100117.tif 000007
【図６】
2018100117.tif 000008